(57)【要約】      （修正有）【課題】様々な利用可能性の要件に対するより大きな意欲及び満足を与えられる携帯電子デバイスを提供する。【解決手段】少なくとも１つの固定ブラケット１０，１１、枢動ブラケット２０、及び接続リーフ３０を有する。固定ブラケットは、携帯電子デバイスのベースにしっかりと取り付けるのに適する。枢動ブラケットは、固定ブラケットに枢動可能に取り付けられ、第１の軸を中心に固定ブラケットに対して枢動する。接続リーフは、携帯電子デバイスのカバーと接続するのに適し、枢動ブラケットに枢動可能に取り付けられ、第１の軸とは異なる方向にある第２の軸を中心に枢動ブラケットに対して枢動する。【選択図】図1
0003133936.tif 000002
【実用新案登録請求の範囲】
【請求項１】
携帯電子デバイス用２軸ヒンジであって、
第１の固定ブラケットと、第２の固定ブラケットと、第１の固定ブラケットと第２の固定ブラケットとの間に枢動可能に取り付けられた枢動ブラケットと、接続リーフと、第１の取り付けアセンブリと、第２の取り付けアセンブリと、を備え、
前記第１の固定ブラケットは、表面と、第１の固定ブラケットを貫通して形成された非円形の第１の取り付け孔と、第１の取り付け孔に隣接する表面から突出する第１の止め具と、を有し、
前記枢動ブラケットは、第１の固定ブラケットに隣接する第１の端部セグメントと、第２の固定ブラケットに隣接して枢動可能に係合する第２の端部セグメントと、第１の端部セグメントと第２の端部セグメントとを接続する中央セグメントと、を有し、
前記第１の端部セグメントは、内側表面と、外側表面と、枢動ブラケットを貫通して形成されると共に第１の固定ブラケットの第１の取り付け孔に対応し且つ内縁を有する第１の枢動孔と、第１の枢動孔の内縁に沿って第１の端部セグメントの内側表面上に一体的に形成され且つ交互に配置された複数の放射状凹面及び凸面を有する係合部と、第１の端部セグメントの外側表面上に一体的に形成された第１の歯止めと、を有し、
この第１の歯止めが、非円形で第１の枢動孔に対応する中央鍵穴と、第１の固定ブラケットの第１の止め具に対応して選択的に当接する長さ及び二つの端部を有する凹部縁と、を有し、
前記中央セグメントは、内側表面と、外側表面と、中央セグメントを縦に貫通して形成された第３の枢動孔と、を有し、
前記接続リーフは、表面と、接続リーフを貫通して形成され且つ中央セグメントの第３の枢動孔に対応する非円形の接続孔と、を有し、
前記第１の取り付けアセンブリは、断面が非円形であり且つ枢動ブラケットの第１の端部セグメントの第１の枢動孔を通って伸長して第１の固定ブラケットの第１の取り付け孔と係合する第１の軸棒と、第１の軸棒に取り付けられ且つ第１の端部セグメントの係合部に対応する位置決め要素と、を有し、
前記位置決め要素は、非円形であって第１の軸棒と係合する中央孔と、係合部の凹面と選択的に係合して第１の固定ブラケットに対する枢動ブラケットの位置を保持する２つの突出部と、を有し、
前記第２の取り付けアセンブリは、断面が非円形であって、枢動ブラケットの中央セグメントの第３の枢動孔を通って伸長して接続リーフの接続孔と係合する端部を有する第２の軸棒を有する、
２軸ヒンジ。
【請求項２】
第２の固定ブラケットは、第２の固定ブラケットを貫通して形成された、第１の取り付け穴と同軸の第２の取り付け孔を有し、
枢動ブラケットの第２の端部セグメントは、更に
外側表面と、
第２の端部セグメントの外側表面から突出し、第２の固定ブラケットの第２の取り付け孔に対応して選択的に係合し、締め具の周囲に形成されてそれぞれ第２の取り付け孔と係合する歯を有する多数の弾性突起を有する締め具と、
を有する、
請求項１に記載の２軸ヒンジ。
【請求項３】
中央セグメントは、枢動ブラケットの中央セグメントの外側表面上に一体的に形成され、第２の歯止めから外側に放射状に突出してラジアンを拡大する突出フランジを有する第２の歯止めを更に有し、
接続リーフは、接続リーフの表面から突出し、第２の歯止めの突出フランジに対応して選択的に当接し、接続リーフの移動を制限する第２の止め具を更に有する、
請求項１に記載の２軸ヒンジ。
【請求項４】
枢動ブラケットの中央セグメントは、表面及びその表面上に対角線上に形成された切欠きを有する保持要素を更に有し、
第２の取り付けアセンブリは、第２の軸棒上に形成された、枢動ブラケットの中央セグメントの保持要素に対応し、
表面と、
非円形であり、第２の軸棒と係合する係合孔と、
保持部材の表面上に対角線上に形成され、連続的に保持部材の切欠きと選択的に係合して枢動ブラケットに対する接続リーフの位置を保持する２つのリブと、
を有する保持部材を更に備える、
請求項１に記載の２軸ヒンジ。
【請求項５】
携帯電子デバイス用２軸ヒンジであって、
第１の固定ブラケットと、第２の固定ブラケットと、第１の固定ブラケットと第２の固定ブラケットとの間に枢動可能に取り付けられた枢動ブラケットと、接続リーフと、第１の取り付けアセンブリと、第２の取り付けアセンブリと、を備え、
前記第１の固定ブラケットは、表面と、第１の固定ブラケットを貫通して形成された非円形の第１の取り付け孔と、を有し、
前記枢動ブラケットは、第１の固定ブラケットに隣接する第１の端部セグメントと、第２の取り付け孔に隣接して枢動可能に接続する第２の端部セグメントと、第１の端部セグメントと第２の端部セグメントとを接続する中央セグメントと、を有し、
前記第１の端部セグメントは、内側表面と、外側表面と、枢動ブラケットを貫通して形成されると共に第１の固定ブラケットの第１の取り付け孔に対応し且つ内縁を有する第１の枢動孔と、を有し、
前記中央セグメントは、内側表面と、外側表面と、枢動ブラケットの中央セグメントを縦に貫通して形成された第３の枢動孔と、を有し、
前記接続リーフは、表面と、接続リーフを貫通して形成され且つ中央セグメントの第３の枢動孔に対応する非円形の接続孔と、を有し、
前記第１の取り付けアセンブリは、断面が非円形の第１の軸棒を有し、
前記第１の軸棒は、フランジと、枢動ブラケットの第１の端部セグメントの第１の枢動穴及び第１の固定ブラケットの第１の取り付け孔を通って伸長する端部と、第１の軸棒の端部にしっかりと取り付けられ、適切な位置に第１の取り付けアセンブリを保持する固定要素と、を有し、
前記第２の取り付けアセンブリは、断面が非円形であって、枢動ブラケットの中央セグメントの第３の枢動孔及び接続リーフの接続孔を通って伸長する端部を有する第２の軸棒と、第２の軸棒の端部と係合する非円形の係合孔を有し、枢動ブラケットの中央セグメントの内側表面に擦れて枢動ブラケットに対する接続リーフの位置を保持する保持アセンブリと、を有する、
２軸ヒンジ。
【請求項６】
枢動ブラケットの第１の端部セグメントは、第１の枢動孔の内縁に沿って第１の端部セグメントの内側表面上に一体的に形成され、交互に配置された複数の放射状凹面及び凸面を有する係合部を更に有し、
第１の取り付けアセンブリは、更に
第１の軸棒上に取り付けられ、第１の端部セグメントの係合部に対応する位置決め要素を有し、この位置決め要素が、
非円形であり、第１の軸棒と係合する中央孔と、
係合部の凹面と選択的に係合して第１の固定ブラケットに対する枢動ブラケットの位置を保持する２つの突出部とを有し、
第１のアセンブリが、第１の軸棒のフランジと位置決め要素の間に取り付けられた複数のスペーサを、有する、
請求項５に記載の２軸ヒンジ。
【請求項７】
枢動ブラケットの第１の端部セグメントは、第１の枢動孔に隣接する第１の端部セグメントの外側表面から突出する第１の止め具を更に有し、
第１の取り付けアセンブリは、第１の軸棒に取り付けられ、枢動ブラケットの第１の端部セグメントの第１の止め具に対応して選択的に当接する長さ及び２つの端部を有する凹所縁を有する第１の歯止めを更に有する、
請求項６に記載の２軸ヒンジ。
【請求項８】
枢動ブラケットの中央セグメントは、中央セグメントの外側表面から突出する第２の止め具を更に有し、
第２の取り付けアセンブリは、第１の軸棒に取り付けられ、第２の歯止めから外側に放射状に突出してラジアンを拡大し、第２の止め具と選択的に当接する突出フランジを有する第２の歯止めを更に備える、
請求項７に記載の２軸ヒンジ。
【請求項９】
第１の固定ブラケット、第２の固定ブラケット、及び接続リーフは、Ｌ字型である、請求項１に記載の２軸ヒンジ。
【請求項１０】
枢動ブラケットは、Ｕ字型である、請求項１に記載の２軸ヒンジ。
【考案の詳細な説明】
【技術分野】
【０００１】
本考案は、ヒンジに関し、より具体的には、携帯電子デバイスのカバーが、異なる方向における２軸を中心としてベースに対して枢動可能な、携帯電子デバイス用２軸ヒンジに関する。
【背景技術】
【０００２】
ノート型パソコンや携帯電話等の携帯電子デバイスは、日常生活において一般的に使用される。
一般的に、携帯電子デバイスは、ベース、カバー、及びヒンジからなる。カバーは、大抵、ディスプレイを有する。
ヒンジは、ベースに対して枢動可能にカバーを接続し、電子デバイスを使用する際カバーが枢動してベースから離れることを可能にする。
【０００３】
しかしながら、携帯電子デバイスにおける益々多くの機能又はプログラムが開発されているので、単軸を中心にカバーを枢動する前記従来のヒンジは、使用するのに徐々に不十分になっている。
【０００４】
この欠点を克服するため本考案は、上記した問題点を解決した携帯電子デバイス用２軸ヒンジを提供することを目的とする。
【考案の開示】
【考案が解決しようとする課題】
【０００５】
本考案の主目的は、携帯電子デバイス用２軸ヒンジを提供することであり、その２軸ヒンジによって、携帯電子デバイスのカバーが、異なる方向における２軸を中心としてベースに対して枢動可能である。
そのような２軸ヒンジは、携帯電子デバイスにおいて使用される際、より高い利用可能性を提供する。
【０００６】
この目的を達成するため、本考案に係る２軸ヒンジは、少なくとも１つの固定ブラケット、枢動ブラケット、及び接続リーフからなる。
【０００７】
固定ブラケットは、携帯電子デバイスのベースにしっかりと取り付けられる。
【０００８】
枢動ブラケットは、固定ブラケットに枢動可能に取り付けられ、第１の軸を中心に固定ブラケットに対して枢動する。
【０００９】
接続リーフは、携帯電子デバイスのカバーにしっかりと接続でき、枢動ブラケット上に枢動可能に取り付けられ、第１の軸と異なる方向にある第２の軸を中心に枢動ブラケットに対して枢動する。
【００１０】
更に、複数の位置決め又は角度制限コンポーネントが、枢動ブラケットと固定ブラケットとの間、又は枢動ブラケットと接続リーフとの間に配置される。
【課題を解決するための手段】
【００１１】
本願の第１考案は、携帯電子デバイス用２軸ヒンジであって、第１の固定ブラケットと、第２の固定ブラケットと、第１の固定ブラケットと第２の固定ブラケットとの間に枢動可能に取り付けられた枢動ブラケットと、接続リーフと、第１の取り付けアセンブリと、第２の取り付けアセンブリと、を備え、前記第１の固定ブラケットは、表面と、第１の固定ブラケットを貫通して形成された非円形の第１の取り付け孔と、第１の取り付け孔に隣接する表面から突出する第１の止め具と、を有し、前記枢動ブラケットは、第１の固定ブラケットに隣接する第１の端部セグメントと、第２の固定ブラケットに隣接して枢動可能に係合する第２の端部セグメントと、第１の端部セグメントと第２の端部セグメントとを接続する中央セグメントと、を有し、前記第１の端部セグメントは、内側表面と、外側表面と、枢動ブラケットを貫通して形成されると共に第１の固定ブラケットの第１の取り付け孔に対応し且つ内縁を有する第１の枢動孔と、第１の枢動孔の内縁に沿って第１の端部セグメントの内側表面上に一体的に形成され且つ交互に配置された複数の放射状凹面及び凸面を有する係合部と、第１の端部セグメントの外側表面上に一体的に形成された第１の歯止めと、を有し、この第１の歯止めが、非円形で第１の枢動孔に対応する中央鍵穴と、第１の固定ブラケットの第１の止め具に対応して選択的に当接する長さ及び二つの端部を有する凹部縁と、を有し、前記中央セグメントは、内側表面と、外側表面と、中央セグメントを縦に貫通して形成された第３の枢動孔と、を有し、前記接続リーフは、表面と、接続リーフを貫通して形成され且つ中央セグメントの第３の枢動孔に対応する非円形の接続孔と、を有し、前記第１の取り付けアセンブリは、断面が非円形であり且つ枢動ブラケットの第１の端部セグメントの第１の枢動孔を通って伸長して第１の固定ブラケットの第１の取り付け孔と係合する第１の軸棒と、第１の軸棒に取り付けられ且つ第１の端部セグメントの係合部に対応する位置決め要素と、を有し、前記位置決め要素は、非円形であって第１の軸棒と係合する中央孔と、係合部の凹面と選択的に係合して第１の固定ブラケットに対する枢動ブラケットの位置を保持する２つの突出部と、を有し、前記第２の取り付けアセンブリは、断面が非円形であって、枢動ブラケットの中央セグメントの第３の枢動孔を通って伸長して接続リーフの接続孔と係合する端部を有する第２の軸棒を有する２軸ヒンジを提供する。
本願の第２考案は、第２の固定ブラケットは、第２の固定ブラケットを貫通して形成された、第１の取り付け穴と同軸の第２の取り付け孔を有し、枢動ブラケットの第２の端部セグメントは、更に外側表面と、第２の端部セグメントの外側表面から突出し、第２の固定ブラケットの第２の取り付け孔に対応して選択的に係合し、締め具の周囲に形成されてそれぞれ第２の取り付け孔と係合する歯を有する多数の弾性突起を有する締め具と、を有する、前記第１考案に記載の２軸ヒンジを提供する。
本願の第３考案は、中央セグメントは、枢動ブラケットの中央セグメントの外側表面上に一体的に形成され、第２の歯止めから外側に放射状に突出してラジアンを拡大する突出フランジを有する第２の歯止めを更に有し、接続リーフは、接続リーフの表面から突出し、第２の歯止めの突出フランジに対応して選択的に当接し、接続リーフの移動を制限する第２の止め具を更に有する、前記第１考案に記載の２軸ヒンジを提供する。
本願の第４考案は、枢動ブラケットの中央セグメントは、表面及びその表面上に対角線上に形成された切欠きを有する保持要素を更に有し、第２の取り付けアセンブリは、第２の軸棒上に形成された、枢動ブラケットの中央セグメントの保持要素に対応し、表面と、非円形であり、第２の軸棒と係合する係合孔と、保持部材の表面上に対角線上に形成され、連続的に保持部材の切欠きと選択的に係合して枢動ブラケットに対する接続リーフの位置を保持する２つのリブと、を有する保持部材を更に備える、前記第１考案に記載の２軸ヒンジを提供する。
本願の第５考案は、携帯電子デバイス用２軸ヒンジであって、第１の固定ブラケットと、第２の固定ブラケットと、第１の固定ブラケットと第２の固定ブラケットとの間に枢動可能に取り付けられた枢動ブラケットと、接続リーフと、第１の取り付けアセンブリと、第２の取り付けアセンブリと、を備え、前記第１の固定ブラケットは、表面と、第１の固定ブラケットを貫通して形成された非円形の第１の取り付け孔と、を有し、前記枢動ブラケットは、第１の固定ブラケットに隣接する第１の端部セグメントと、第２の取り付け孔に隣接して枢動可能に接続する第２の端部セグメントと、第１の端部セグメントと第２の端部セグメントとを接続する中央セグメントと、を有し、前記第１の端部セグメントは、内側表面と、外側表面と、枢動ブラケットを貫通して形成されると共に第１の固定ブラケットの第１の取り付け孔に対応し且つ内縁を有する第１の枢動孔と、を有し、前記中央セグメントは、内側表面と、外側表面と、枢動ブラケットの中央セグメントを縦に貫通して形成された第３の枢動孔と、を有し、前記接続リーフは、表面と、接続リーフを貫通して形成され且つ中央セグメントの第３の枢動孔に対応する非円形の接続孔と、を有し、前記第１の取り付けアセンブリは、断面が非円形の第１の軸棒を有し、前記第１の軸棒は、フランジと、枢動ブラケットの第１の端部セグメントの第１の枢動穴及び第１の固定ブラケットの第１の取り付け孔を通って伸長する端部と、第１の軸棒の端部にしっかりと取り付けられ、適切な位置に第１の取り付けアセンブリを保持する固定要素と、を有し、前記第２の取り付けアセンブリは、断面が非円形であって、枢動ブラケットの中央セグメントの第３の枢動孔及び接続リーフの接続孔を通って伸長する端部を有する第２の軸棒と、第２の軸棒の端部と係合する非円形の係合孔を有し、枢動ブラケットの中央セグメントの内側表面に擦れて枢動ブラケットに対する接続リーフの位置を保持する保持アセンブリと、を有する、２軸ヒンジを提供する。
本願の第６考案は、枢動ブラケットの第１の端部セグメントは、第１の枢動孔の内縁に沿って第１の端部セグメントの内側表面上に一体的に形成され、交互に配置された複数の放射状凹面及び凸面を有する係合部を更に有し、第１の取り付けアセンブリは、更に第１の軸棒上に取り付けられ、第１の端部セグメントの係合部に対応する位置決め要素を有し、この位置決め要素が、非円形であり、第１の軸棒と係合する中央孔と、係合部の凹面と選択的に係合して第１の固定ブラケットに対する枢動ブラケットの位置を保持する２つの突出部とを有し、第１のアセンブリが、第１の軸棒のフランジと位置決め要素の間に取り付けられた複数のスペーサを、有する、前記第５考案に記載の２軸ヒンジを提供する。
本願の第７考案は、枢動ブラケットの第１の端部セグメントは、第１の枢動孔に隣接する第１の端部セグメントの外側表面から突出する第１の止め具を更に有し、第１の取り付けアセンブリは、第１の軸棒に取り付けられ、枢動ブラケットの第１の端部セグメントの第１の止め具に対応して選択的に当接する長さ及び２つの端部を有する凹所縁を有する第１の歯止めを更に有する、前記第１考案に記載の２軸ヒンジを提供する。
本願の第８考案は、枢動ブラケットの中央セグメントは、中央セグメントの外側表面から突出する第２の止め具を更に有し、第２の取り付けアセンブリは、第１の軸棒に取り付けられ、第２の歯止めから外側に放射状に突出してラジアンを拡大し、第２の止め具と選択的に当接する突出フランジを有する第２の歯止めを更に備える、前記第７考案に記載の２軸ヒンジを提供する。
本願の第９考案は、第１の固定ブラケット、第２の固定ブラケット、及び接続リーフは、Ｌ字型である、前記第１考案に記載の２軸ヒンジを提供する。
本願の第１０考案は、枢動ブラケットは、Ｕ字型である、前記第１考案に記載の２軸ヒンジを提供する。
【考案の効果】
【００１２】
本考案は、接続リーフによって接続されたカバーが、第１の軸及び第２の軸を中心としてベースに対して枢動することが可能で、所望の位置に保持される。
従って、２軸ヒンジによって、携帯電子デバイスは、様々な利用可能性の要件に対するより大きな意欲及び満足を与えることができる。
【考案を実施するための最良の形態】
【００１３】
以降に添付した図面を参照しながら本考案の携帯電子デバイス用２軸ヒンジについて説明する。
図２及び図８を参照すると、携帯電子デバイス用２軸ヒンジは、第１の固定ブラケット（１１）（１１’）、第２の固定ブラケット（１０）（１０’）、枢動ブラケット（２０）（２０’）、接続リーフ（３０）（３０’）、第１の取り付けアセンブリ（４０）（４０‘）、及び第２の取り付けアセンブリ（５０）（５０’）からなる。
【００１４】
図１、図２、及び図３を参照すると、第１の実施形態において、第１の固定ブラケット（１１）は、Ｌ字型で、少なくとも１つの固定孔、表面、第１の固定ブラケット（１１）を貫通して形成された非円形の第１の取り付け孔（１１０）、及び第１の取り付け孔（１１０）に隣接する表面から突出した第１の止め具（１１１）を有する。
第２の固定ブラケット（１０）は、Ｌ字型で、第１の固定ブラケット（１１）から離れており、少なくとも１つの固定孔、表面、及び第２の固定ブラケット（１０）を貫通して形成され、且つ第１の取り付け孔（１１０）と同軸である第２の取り付け孔（１００）を有する。
【００１５】
枢動ブラケット（２０）は、第１の固定ブラケット（１１）と第２の固定ブラケット（１０）の間に枢動可能に取り付けられ、Ｕ字型で、第１の端部セグメント、第２の端部セグメント、及び中央セグメントを有する。
【００１６】
第１の端部セグメントは、第１の固定ブラケット（１１）に隣接し、内側表面、外側表面、第１の枢動孔（２１）、係合部（２４）、及び第１の歯止め（２５）を有する。第１の枢動孔（２１）は、枢動ブラケットを貫通して形成され、第１の固定ブラケット（１１）の第１の取り付け孔（１１０）に対応し、内縁を有する。
係合部（２４）は、第１の枢動孔（２１）の内縁に沿って第１の端部セグメントの内側表面上に一体的に形成され、交互に配置された多数の放射状凹面（２４０）及び凸面を有する。
第１の歯止め（２５）は、第１の端部セグメントの外側表面上に一体的に形成され、中央鍵穴及び凹所縁（２５０）を有する。
中央鍵穴は、非円形であり、第１の枢動孔（２１）に対応する。凹所縁（２５０）は、第１の固定ブラケット（１１）の第１の止め具（１１１）に対応し選択的に当接して固定ブラケット（１０）（１１）に対して枢動ブラケット（２０）の枢動角を制限する長さ及び２つの端部を有する。
【００１７】
第２の端部セグメントは、第２の固定ブラケット（１０）に隣接し、外側表面及び締め具（２２）を有する。
締め具（２２）は、第２の端部セグメントの外側表面から突出し、第２の固定ブラケットの第２の取り付け孔（１００）に対応して回転可能に係合し、多数の弾性突起（２２０）を有する。
弾性突起（２２０）は、締め具（２２）の周囲に形成され、それぞれ端部及びその端部に形成された歯を有し、リングによって第２の取り付け孔（１００）と係合し、枢動ブラケット（２０）を第２の固定ブラケット（１０）に対して枢動可能にする。
【００１８】
中央セグメントは、第１の端部セグメントと第２の端部セグメントの間を接続し、内側表面、外側表面、第２の歯止め（２７）、保持要素（２６）、及び第３の枢動孔（２３）を有する。
第２の歯止め（２７）は、中央セグメントの外側表面上に一体的に形成され、第２の歯止め（２７）から外側に放射状に突出し、ラジアンを拡大した突出フランジ（２７０）を有する。
保持要素（２６）は、表面及びその表面に対角線上に形成された切欠き（２６０）を有する。第３の枢動孔（２３）は、第２の歯止め（２７）、中央セグメント、及び保持要素（２６）を長手方向に貫通して形成される。
【００１９】
接続リーフ（３０）は、Ｌ字型で、多数の固定孔及び接続リーフ（３０）の角に形成された取り付け部を有する。
取り付け部は、表面、接続孔（３１）、及び第２の止め具（３２）を有する。接続孔（３１）は、取り付け部を貫通して形成され、中央セグメントの第３の枢動孔（２３）に対応し、非円形である。
第２の止め具（３２）は、取り付け部の表面から突出し、第２の歯止め（２７）の突出フランジ（２７０）に対応して選択的に当接し、接続リーフ（３０）の枢動範囲を制限する。
【００２０】
第１の取り付けアセンブリ（４０）は、第１の軸棒（４１）、位置決め要素（４３）、及び多数のスペーサ（４２）からなる。
第１の軸棒（４１）は、断面が非円形であり、フランジ（４１０）及び端部（４１１）を有する。
端部（４１１）は、枢動ブラケット（２０）が第１の軸を中心に第１の固定ブラケット（１１）に対して枢動可能なように、枢動ブラケット（２０）の第１の端部セグメントの第１の枢動孔（２１）を貫通して伸長し、第１の固定ブラケット（１１）の第１の取り付け孔（１１０）と係合する。
位置決め要素（４３）は、第１の軸棒（４１）に取り付けられ、第１の端部セグメントの係合部（２４）に対応し、中央孔（４３０）及び２つの突出部（４３１）を有する。
中央孔（４３０）は、非円形であり、第１の軸棒（４１）と係合して位置決め要素（４３）を第１の軸棒（４１）と同時に回転させる。
突出部（４３１）は、係合部（２４）の凹面（２４０）と選択的に係合して、第１の固定ブラケット（１１）に対して枢動ブラケット（２０）の位置を保持する。
スペーサ（４２）は、第１の軸棒（４１）のフランジ（４１０）と位置決め要素（４３）の間に取り付けられ、位置決め要素（４３）の摩耗を防止する。
【００２１】
第２の取り付けアセンブリ（５０）は、第２の軸棒（５１）及び保持部材（５２）からなる。
第２の軸棒（５１）は、断面が非円形であり、フランジ（５１０）及び端部（５１１）を有する。端部（５１１）は、接続リーフ（３０）が第２の軸を中心に枢動ブラケット（２０）に対して枢動可能なように、枢動ブラケット（２０）の中央セグメントの第３の枢動孔（２３）を貫通して伸長し、接続リーフ（３０）の接続孔（３１）と係合する。保持部材（５２）は、第２の軸棒（５１）に取り付けられ、枢動ブラケット（２０）の中央セグメントの保持部材（５２）に対応し、表面、係合孔（５２０）、及び２つのリブ（５２１）を有する。
係合孔（５２０）は、非円形であり、第２の軸棒（５１）と係合して位置決め要素（４３）を第２の軸棒（５１）と同時に回転させる。
リブ（５２１）は、保持部材（５２）の表面上に対角線上に形成され、保持要素（２６）の切欠き（２６０）と選択的に係合して、枢動ブラケット（２０）に対して接続リーフ（３０）の位置を保持する。
【００２２】
図７及び図８を参照すると、第２の実施形態において、第１の固定ブラケット（１１‘）は、Ｌ字型であり、表面、少なくとも１つの固定孔、及び表面を貫通して形成された非円形の第１の取り付け孔（１１０’）を有する。
第２の固定ブラケット（１０‘）は、Ｌ字型であり、第１の固定ブラケット（１１’）から離れており、少なくとも１つの固定孔及び表面を貫通して形成された第２の取り付け孔を有し、第１の取り付け孔（１１０‘）と同軸である。
【００２３】
枢動ブラケット（２０’）は、第１の固定ブラケット（１１’）及び第２の固定ブラケット（１０’）の間に枢動可能に取り付けられ、Ｕ字型であり、第１の端部セグメント、第２の端部セグメント、及び中央セグメントを有する。
【００２４】
第１の端部セグメントは、第１の固定ブラケット（１１’）に隣接し、内側表面、外側表面、第１の枢動孔（２１’）、係合部（２１０’）、及び第１の止め具（２１１’）を有する。
第１の枢動孔（２１‘）は、枢動ブラケット（２０’）を貫通して形成され、第１の固定ブラケット（１１’）の第１の取り付け孔（１１０’）に対応し、内縁を有する。
係合部（２１０’）は、第１の枢動孔（２１’）の内縁に沿って第１の端部セグメントの内側表面上に一体的に形成され、交互に配置された多数の放射状凹面及び凸面を有する。第１の止め具（２１１’）は、第１の枢動孔（２１’）に隣接する第１の端部セグメントの外側表面から突出する。
【００２５】
第２の端部セグメントは、第２の固定ブラケット（１０’）に隣接し、外側表面及び取り付けピンを有する。
取り付けピンは、第２の端部セグメントの外側表面上に一体的に形成され、第２の固定ブラケット（１０’）の第２の取り付け孔を貫通して伸長し、第２の端部セグメントによって第２の固定ブラケット（１０’）を枢動可能に取り付ける。
【００２６】
中央セグメントは、第１の端部セグメントと第２の端部セグメントの間を接続し、内側表面、外側表面、第３の枢動孔（２２’）、及び第２の止め具（２２０’）を有する。
第３の枢動孔（２２’）は、枢動ブラケットの中央セグメントを縦に貫通して形成される。
第２の止め具（２２０’）は、中央セグメントの外側表面から突出している。
【００２７】
接続リーフ（３０）は、Ｌ字型で、多数の固定孔及び接続リーフ（３０）の角に形成された取り付け部を有する。
取り付け部は、表面及び接続孔（３１’）を有する。
接続孔（３１’）は、取り付け部を貫通して形成され、中央セグメントの第３の枢動孔（２２’）に対応し、非円形である。
【００２８】
第１の取り付けアセンブリ（４０’）は、第１の軸棒（４１’）、位置決め要素（４３’）、多数のスペーサ（４２’）、第１の歯止め（４４’）、及び固定要素（４５’）からなる。
第１の軸棒（４１’）は、断面が非円形であり、フランジ（４１０’）及び端部を有する。
端部は、枢動ブラケット（２０’）が第１の軸を中心に第１の固定ブラケット（１１’）に対して枢動可能なように、枢動ブラケット（２０’）の第１の端部セグメントの第１の枢動孔（２１’）及び第１の固定ブラケット（１１‘）の第１の取り付け孔（１１０’）を貫通して伸長する。
位置決め要素（４３’）は、第１の軸棒（４１’）上に取り付けられ、第１の端部セグメントの係合部（２１０’）に対応し、中央孔及び２つの突出部（４３０’）を有する。
中央孔は、非円形であり、第１の軸棒（４１’）と係合して位置決め要素（４３’）を第１の軸棒（４１’）と同時に回転させる。
突出部（４３０’）は、係合部（２１０’）の凹面と選択的に係合して第１の固定ブラケット（１１’）に対する枢動ブラケット（２０’）の位置を保持する。
スペーサ（４２’）は、第１の軸棒（４１’）のフランジ（４１０’）と位置決め要素（４３’）の間に取り付けられ、位置決め要素（４３’）の摩耗を防止する。
第１の歯止め（４４’）は、第１の軸棒（４１’）上に取り付けられ、中央鍵穴、及び凹所縁（４４０’）を有する。
中央鍵穴は、非円形であり、第１の枢動孔（２１’）に対応し、第１の軸棒（４１’）を第１の歯止め（４４’）を貫通して伸長可能にする。
凹所縁（４４０’）は、枢動ブラケット（２０’）の第１の端部セグメントの第１の歯止め（２１１’）に対応し選択的に当接して固定ブラケット（１０’）（１１’）に対して枢動ブラケット（２０’）の枢動角を制限する長さ及び２つの端部を有する。
固定要素（４５’）は、第１の軸棒（４１’）の端部上にしっかりと取り付けられ、適切な位置に第１の取り付けアセンブリ（４０’）を保持する。
【００２９】
第２の取り付けアセンブリ（５０’）は、第２の軸棒（５１’）、第２の歯止め（５２’）、及び保持アセンブリ（５３’）からなる。
第２の軸棒（５１’）は、断面が非円形であり、フランジ（５１０’）及び端部を有する。
端部は、接続リーフ（３０’）が第２の軸を中心に枢動ブラケット（２０’）に対して枢動可能なように、枢動ブラケット（２０’）の中央セグメントの第３の枢動孔（２２’）を通って伸長し、接続リーフ（３０’）の接続孔（３１’）と係合する。
【００３０】
第２の歯止め（５２’）は、非円形の貫通孔（５２０’）によって第１の軸棒（４１’）上に取り付けられ、第２の歯止め（５２’）から外側に放射状に突出し、ラジアンを拡大して第２の止め具（２２０’）と選択的に当接する突出フランジ（５２１’）を有し、接続リーフ（３０’）の移動を制限する。
【００３１】
保持アセンブリ（５３’）は、非円形の係合孔（５３０’）を有し、第２の軸棒（５１’）の端部と係合し、枢動ブラケット（２０’）の中央セグメントの内側表面に擦れ、枢動ブラケット（２０’）に対する接続リーフ（３０’）の位置を保持する。
【００３２】
図４及び図１０を更に参照すると、携帯電子デバイス（６０）は、ベース（６２）、カバー（６１）、及び本考案に従う２軸ヒンジからなり、ベース（６２）とカバー（６１）の間に取り付けられる。
固定ブラケット（１０）（１１）（１０’）（１１’）は、固定孔及び締め具によってベース（６２）にしっかりと取り付けられる。接続リーフ（３０）（３０’）は、固定孔及び締め具によってカバー（６１）としっかりと接続される。
【００３３】
図５、図６、図１１、及び図１２を参照すると、接続リーフ（３０）（３０’）によって接続されたカバー（６１）は、第１の軸及び第２の軸を中心にベース（６２）に対して枢動可能であり、所望の位置に保持される。
従って、２軸ヒンジによって、携帯電子デバイス（６０）は、様々な利用可能性の要件に対するより大きな意欲及び満足を与えることができる。
【００３４】
本考案の多くの特質及び利益は、本考案の構造及び機能の詳細とともに先の記述において説明したが、開示内容は単に例示に過ぎない。
特に、部品の形状、大きさ、及び配置の点で、本考案の原理の範囲内において、添付の実用新案登録請求の範囲が表現される言葉の広い一般的な意味によって指示される範囲の限界まで、詳細に変更可能である。
【図面の簡単な説明】
【００３５】
【図１】本考案に従う携帯電子デバイス用２軸ヒンジの第１の実施形態の斜視図である。
【図２】図１における２軸ヒンジの分解斜視図である。
【図３】図１における２軸ヒンジの上面図である。
【図４】携帯電子デバイスに取り付けられた図１の２軸ヒンジの動作斜視図である。
【図５】第１の軸を中心にベースに対して枢動するカバーを示す図１の２軸ヒンジの第１の動作斜視図である。
【図６】第２の軸を中心にベースに対して枢動するカバーを示す図１の２軸ヒンジの第２の動作斜視図である。
【図７】本考案に従う携帯電子デバイス用２軸ヒンジの第２の実施形態の斜視図である。
【図８】図７における２軸ヒンジの分解斜視図である。
【図９】図７における２軸ヒンジの上面図である。
【図１０】携帯電子デバイスに取り付けられた図７の２軸ヒンジの動作斜視図である。
【図１１】第１の軸を中心にベースに対して枢動するカバーを示す図７の２軸ヒンジの第１の動作斜視図である。
【図１２】第２の軸を中心にベースに対して枢動するカバーを示す図７の２軸ヒンジの第２の動作斜視図である。
【図１】
0003133936.tif 000003
【図２】
0003133936.tif 000004
【図３】
0003133936.tif 000005
【図４】
0003133936.tif 000006
【図５】
0003133936.tif 000007
【図６】
0003133936.tif 000008
【図７】
0003133936.tif 000009
【図８】
0003133936.tif 000010
【図９】
0003133936.tif 000011
【図１０】
0003133936.tif 000012
【図１１】
0003133936.tif 000013
【図１２】
0003133936.tif 000014